(57)【特許請求の範囲】
【請求項１】
第１の方向に開口しており且つ複数の端子が内側に配置される筒状のフードを有している相手方コネクタと前記第１の方向において接続するためのコネクタであって、
前記相手方コネクタに接続している場合に前記フードの内側に配置される複数の端子を保持する保持部と、
前記相手方コネクタに接続している場合に前記保持部の外面と前記フードの内面とによって挟まれるシールと、
前記フードの内側に前記保持部が配置されている場合に前記フードの外面に沿って配置され、前記第１の方向に対して直交する第２の方向においてスライド可能であり、前記第２の方向へのスライドにより前記相手方コネクタが前記コネクタに接続する方向に前記フードを押す力が作用するように前記フードと係合するスライダーと、
前記スライダーに形成され、少なくとも前記コネクタと前記相手方コネクタとが嵌合している状態で前記フードを前記保持部に向けて押すための押圧部と、を有している、
ことを特徴とするコネクタ。
【請求項２】
前記スライダーは、前記押圧部として、前記第２の方向において互いに間隔をあけて配置される複数の押圧部を有している、
ことを特徴とする請求項１に記載のコネクタ。
【請求項３】
前記スライダーは、前記フードの外面に設けられた係合部と係合して、前記スライダーの前記第２の方向への移動により前記保持部を前記フードの内側に誘導する複数の溝を有している、
ことを特徴とする請求項１に記載のコネクタ。
【請求項４】
前記押圧部は、前記シールが配置される位置よりも、前記フードにおいて開口している先端側に近い位置に配置される、
ことを特徴とする請求項１に記載のコネクタ。
【請求項５】
前記押圧部は、前記第１の方向と前記第２の方向とに対して直交する第３の方向において突出しており、前記第１の方向且つ前記第３の方向の斜めに伸びる傾斜面を有している、
ことを特徴とする請求項１に記載のコネクタ。
【請求項６】
前記押圧部は、前記第１の方向と前記第２の方向とに対して直交する第３の方向において突出しており、前記第２の方向且つ前記第３の方向の斜めに伸びる傾斜面を有している、
ことを特徴とする請求項１に記載のコネクタ。
【請求項７】
前記スライダーとして２つのスライダーを有し、前記２つのスライダーの各々は、前記第１の方向と前記第２の方向とに対して直交する第３の方向において、前記保持部を挟んで互いに向かい合う面を有しており、
前記押圧部は、前記２つのスライダーの互いに向かい合う面に形成されている、
ことを特徴とする請求項１および２に記載のコネクタ。
【請求項８】
第１の方向に開口しており且つ複数の端子が内側に配置される筒状のフードを有している相手方コネクタと、前記第１の方向において前記相手方コネクタと接続するコネクタと、を有するコネクタ組立体であって、
前記コネクタは、
前記相手方コネクタに接続している場合に前記フードの内側に配置される、複数の端子を保持する保持部と、
前記相手方コネクタに接続している場合に保持部の外面とフードの内面とによって挟まれるシールと、
前記フードの内側に前記保持部が配置されている場合に前記フードの外面に沿って配置され、前記第１の方向に対して直交する第２の方向においてスライド可能であり、前記第２の方向へのスライドにより前記相手方コネクタが前記コネクタに接続する方向に前記フードを押す力が作用するように前記フードと係合するスライダーと、
前記スライダーに形成され、少なくとも前記コネクタと前記相手方コネクタとが嵌合している状態で前記フードを前記保持部に向けて押すための押圧部と、を有している、
ことを特徴とするコネクタ組立体。
【請求項９】
前記スライダーの第２の方向へのスライドにより前記相手方コネクタが前記コネクタと接続する方向に移動するのに伴い前記押圧部が前記フードの外面を押圧する、
ことを特徴とする請求項８に記載のコネクタ組立体。
【請求項１０】
前記フードが前記コネクタの内側に配置される際、前記スライダーの第２の方向へのスライドにより前記相手方コネクタが前記コネクタと接続する方向に移動していない場合、前記押圧部は前記フードの外面を押圧しない、
ことを特徴とする請求項９に記載のコネクタ組立体。
【発明の詳細な説明】
【技術分野】
【０００１】
本発明はコネクタ及びコネクタ組立体に関する。
【背景技術】
【０００２】
特許文献１には、防水コネクタとして、互いに嵌合可能な雄コネクタと雌コネクタが開示されている。雄コネクタは、前方に開口しているフード（特許文献１において筒状嵌合部１１）を有しており、雌コネクタと嵌合する際、フードは、雌コネクタのハウジング（特許文献１においてはフード部２１）と、雌コネクタ側の端子を保持する保持部（特許文献１においてはタワー部２２）との間のスペースに収容される。雌コネクタのハウジングに収容されたフードと、保持部との間には、シール（特許文献１においてはシールリング２３）が設けられている。即ち、シールが雄雌両コネクタ間の隙間を塞ぐことで、各コネクタ間の防水が実現されている。
【先行技術文献】
【特許文献】
【０００３】
【特許文献１】特開２００４−３１１１９０号公報
【発明の概要】
【発明が解決しようとする課題】
【０００４】
しかしながら、このようにシールを有するコネクタでは、シールがフードの内側を押すことで、フード自体が外側に膨らんでしまう。このようにフードが膨らんでしまうと、フードとシールとの密着性が低下し、雄雌両コネクタ間の防水性能が低下しまう。
【０００５】
さらに、このようにシールが設けられる場合、作業者が雄コネクタを嵌合させる際にシールがフードに接触し、摩擦による抵抗が生じてしまう。これにより、雄雌両コネクタ同士の嵌合に大きな力を要するものとなってしまう。
【０００６】
本発明の目的は、コネクタの嵌合を容易に実現し、且つ、フードの膨らみを抑えることである。
【課題を解決するための手段】
【０００７】
本発明に係るコネクタは、第１の方向に開口しており且つ複数の端子が内側に配置される筒状のフードを有している相手方コネクタと前記第１の方向において接続するためのコネクタであって、前記相手方コネクタに接続している場合に前記フードの内側に配置される複数の端子を保持する保持部と、前記相手方コネクタに接続している場合に前記保持部の外面と前記フードの内面とによって挟まれるシールと、前記フードの内側に前記保持部が配置されている場合に前記フードの外面に沿って配置され、前記第１の方向に対して直交する第２の方向においてスライド可能であり、前記第２の方向へのスライドにより前記相手方コネクタが前記コネクタに接続する方向に前記フードを押す力が作用するように前記フードと係合するスライダーと、前記スライダーに形成され、前記フードを前記保持部に向けて押すための押圧部と、を有している。これによれば、コネクタの係合が容易になり、且つ、フードの膨らみを抑えることができる。
【０００８】
また、本発明の一態様では、前記スライダーは、前記押圧部として、前記第２の方向において互いに間隔をあけて配置される複数の押圧部を有している。
【０００９】
また、本発明の一態様では、前記スライダーは、前記フードの外面に設けられた係合部と係合して、前記スライダーの前記第２の方向への移動により前記保持部を前記フードの内側に誘導する複数の溝を有している。
【００１０】
また、本発明の一態様では、前記押圧部は、前記シールが配置される位置よりも、前記フードにおいて開口している先端側に近い位置に配置される。
【００１１】
また、本発明の一態様では、前記押圧部は、前記第１の方向と前記第２の方向とに対して直交する第３の方向において突出しており、前記第１の方向且つ前記第３の方向の斜めに伸びる傾斜面を有している。
【００１２】
また、本発明の一態様では、前記押圧部は、前記第１の方向と前記第２の方向とに対して直交する第３の方向において突出しており、前記第２の方向且つ前記第３の方向の斜めに伸びる傾斜面を有している。
【００１３】
また、本発明の一態様では、コネクタは、前記スライダーとして２つのスライダーを有し、前記２つのスライダーの各々は、前記第１の方向と前記第２の方向とに対して直交する第３の方向において、前記保持部を挟んで互いに向かい合う面を有しており、前記押圧部は、前記２つのスライダーの互いに向かい合う面に形成されている。
【００１４】
また、本発明に係るコネクタ組立体は、第１の方向に開口しており且つ複数の端子が内側に配置される筒状のフードを有している相手方コネクタと、前記第１の方向において前記相手方コネクタと接続するコネクタと、を有するコネクタ組立体であって、前記コネクタは、前記相手方コネクタに接続している場合に前記フードの内側に配置される、複数の端子を保持する保持部と、前記相手方コネクタに接続している場合に保持部の外面とフードの内面とによって挟まれるシールと、前記フードの内側に前記保持部が配置されている場合に前記フードの外面に沿って配置され、前記第１の方向に対して直交する第２の方向においてスライド可能であり、前記第２の方向へのスライドにより前記相手方コネクタが前記コネクタに接続する方向に前記フードを押す力が作用するように前記フードと係合するスライダーと、前記スライダーに形成され、前記フードを前記保持部に向けて押すための押圧部と、を有している。これによれば、コネクタの係合が容易になり、且つ、フードの膨らみを抑えることができる。
【００１５】
また、本発明の一態様では、前記スライダーの第２の方向へのスライドにより前記相手方コネクタが前記コネクタと接続する方向に移動するのに伴い前記押圧部が前記フードの外面を押圧する。
【００１６】
また、本発明の一態様では、前記フードが前記コネクタの内側に配置される際、前記スライダーの第２の方向へのスライドにより前記相手方コネクタが前記コネクタと接続する方向に移動していない場合、前記押圧部は前記フードの外面を押圧しない。
【図面の簡単な説明】
【００１７】
【図１】本発明の実施形態に係る雌コネクタ及び雄コネクタを示す斜視図である。
【図２】コネクタ組立体を示す斜視図である。
【図３】雌コネクタを示す断面図である。
【図４】雌コネクタを示す斜視図である。
【図５】雌コネクタを示す斜視図である。
【図６】スライダーを示す斜視図である。
【図７】スライダーを示す斜視図である。
【図８】コネクタ組立体を示す断面図である。
【発明を実施するための形態】
【００１８】
以下に、本発明を実施するための形態（以下、実施形態と呼ぶ）について図１〜図８を参照しながら説明する。図１は、本発明の実施形態を示す一例（以下、本実施形態と呼ぶ）に係る嵌合前の雌コネクタ１及び雄コネクタ２を示す斜視図である。図２は、雌コネクタ１と雄コネクタ２とにより組み立てられるコネクタ組立体１００を示す斜視図である。図３は、雌コネクタ１の断面図であり、その切断面は、図１のＩＩＩ−ＩＩＩ線で示されている。図４及び図５は、雌コネクタ１の内側を示した斜視図である。図６は、雌コネクタ１に内蔵されるスライダー５の正面を示した斜視図である。図８は、スライダー５の裏面を示した斜視図である。図８は、嵌合された雌雄両コネクタ１，２の断面を示す図であり、その切断面は、図２のＶＩＩＩ−ＶＩＩＩ線で示されている。
【００１９】
以下の説明では、各図のＸ１側，Ｘ２側をそれぞれ前側，後側とする。また、各図のＹ１側，Ｙ２側をそれぞれ右側，左側とする。また、各図のＺ１側，Ｚ２側をそれぞれ上側，下側とする。本実施形態では、Ｘ軸の方向を本発明の「第１の方向」とし、Ｙ軸の方向を本発明の「第２の方向」とし、Ｚ軸の方向を「第３の方向」として説明するが、本発明の各方向はこれに限定されない。
【００２０】
図１に示すように、雌コネクタ１は、ハウジング１０とレバー３とを含んで構成される。ハウジング１０は、上下及び左右のそれぞれに側壁を有し、その後側において雄コネクタ２を受け入れるよう開口している。ハウジング１０の前側には図示しないワイヤ束をガイドするカバー１１が取り付けられている。
【００２１】
レバー３は、上下の外側からハウジング１０を挟むように取り付けられている。レバー３は、支軸部３３を中心に回動可能であり、その回動範囲は、ハウジング１０の上下の側壁を貫通する円弧状の軸穴１２の大きさに制限される。より具体的には、図１並びに図８に示すように、レバー３のグリップ３１と支軸部３３とをつなぐ支柱部３２には、軸穴１２を貫くように上下方向（図８においては左右方向）に伸びる延伸部３４が形成されている。この延伸部３４が軸穴１２の縁に当たることで、レバー３の回動範囲は制限される。
【００２２】
また、図１に示すように、雄コネクタ２は、ハウジング２０と、ハウジング２０を貫通して前後方向に伸びる複数の端子２２と、前後方向に開口し、且つ、複数の端子２２が内側に配置される筒状のフード部２１と、が形成されている。フード部２１は外形が略矩形状に形成され、上側の側板２１ａと、下側の側板２１ｂと、左側の側板２１ｃと、右側の側板２１ｄと、で形成されている。雄コネクタ２側の各端子２２は、後側から屈曲しており、上下方向に伸びる部分を有しており、この下端において基板（図示せず）と接続する。また、フード部２１の上下の側板２１ａ，２１ｂの外面には、上下方向に向かって突出する円柱状の係合部２３が形成されている。この係合部２３は角柱であっても良く、またその数は一つであってもよいし複数であってもよい。
【００２３】
図２に示すように、雌コネクタ１は、その後側において雄コネクタ２と接続する。即ち、雌雄コネクタ１，２は互いに嵌合することで、コネクタ組立体１００を構成する。作業者は、雄コネクタ２の前側から雌コネクタ１を挿入した後、レバー３を右側（即ち、Ｙ１側）に押すことによって、雌雄コネクタ１，２を互いに嵌合させることができる。ここで、レバー３は、雄コネクタ２の挿入及び取り外しが可能になるリリース姿勢（図１参照）と、雄コネクタ２を嵌合させて外れないように固定するロック姿勢（図２参照）と、の間で回動することが可能である。また、雌雄コネクタ１，２を互いに嵌合させることで、雌コネクタ１側の端子（図示せず）と雄コネクタ２側の端子２２とが接触して、雌雄両コネクタ１，２は電気的に接続される。
【００２４】
図３は、雌コネクタ１の断面図であるが、保持部４及びシール４１についてはその断面を取っていない。図３に示すように、雌コネクタ１の内側には、雌コネクタ１側の複数の端子（図示せず）を保持する保持部４が取り付けられている。保持部４は、前後方向（図３においては上下方向）に伸びる略角柱状に形成されている。より具体的には、保持部４は、その後側に形成されフード２１に収容される収容保持部４ａと、前側に形成され図示しない雌コネクタ２側の端子を保持部４１に固定する固定保持部４ｂと、を有している。収容保持部４ａと固定保持部４ｂは一体に形成され、その外周面の前後方向における略中央の位置には、全週に渡って環状にシール４１が配置されている。シール４１は周方向に保持部４の表面から突出する山（本実施例では２つの山）を有し、フード部２１の内面と圧着される。なお、本実施形態では、シール４１は、ゴムなどの弾性体により形成されており、ハウジング１０から取り外せるように形成されているが、シール４１はこれに限定されない。
【００２５】
また、保持部４の後側の面（図３においては、下側の面）には、複数の穴（図示せず）が形成されており、これらの穴の内側に、雌コネクタ１側の端子（図示せず）が配置されている。雌雄両コネクタ１，２が互いに接続される場合、雄コネクタ２側の端子２２は、保持部４に形成される穴の中に侵入して、雌コネクタ１側の端子と接触する。
【００２６】
また、図３に示すように、雌コネクタ１の内側には、スライダー５Ａとスライダー５Ｂが配置されている。スライダー５Ａは、ハウジング１０の上側（図３においては左側）の側壁に接しており、スライダー５Ｂは、ハウジング１０の下側（図３においては右側）の側壁に接している。スライダー５Ａとスライダー５Ｂ（以降、これらを単にスライダー５とも呼ぶ）は、上下方向において保持部４を挟んで互いに向き合う面５ａを有しており、この面５ａに、フード部２１を保持部４に向けて押すための押圧部５１が形成されている。また、保持部４と各スライダー５との間には、雄コネクタ２のフード部２１（図１参照）を収納可能なスペースである収納スペースＳが設けられている。作業者が雌雄両コネクタ１，２同士を接続する際、雄コネクタ２のフード部２１が収納スペースＳに侵入して、フード部２１の内側に保持部４の収容保持部４ａが収容される。
【００２７】
図４及び図５は、特にハウジング１０の内側を示した斜視図であり、保持部４を取り外した場合の例を示している。図４乃至図６に示すように、スライダー５は、複数の溝部５２を有している。より具体的には、スライダー５には、複数の溝部５２が左右方向に並ぶように形成されている。各溝部５２は、スライダー５の後端と繋がり、その前側の仮係止位置５６まで前側に伸び、そこからさらに前側且つ左側の斜め方向に位置する本係止位置５７まで伸びている。各溝部５２は、フード部２１の外面に形成される複数の係合部２３（図１参照）の各々と係合し、スライダー５の左右方向への移動により雄コネクタ２が雌コネクタ１に接続する方向にフード部２１（図１参照）を誘導する。
【００２８】
また、図４及び図５に示すように、スライダー５は、左右方向においてスライド可能である。より具体的には、レバー３が支軸部３３を中心に回動することにより、スライダー５は、レバー３に形成される延伸部３４（図１参照）に押されて、左右方向にスライドする。
【００２９】
図４に示す例では、レバー３は、リリース姿勢にされており、スライダー５は、雌コネクタ１左側のリリース位置に位置している。この場合、各溝部５２の後端は、ハウジング１０の後側の端面に形成れている複数の導入溝１３の各々と繋がっている。作業者は、雌コネクタ１に雄コネクタ２を挿入して、雌雄両コネクタ１，２を仮係止させることが可能である。より詳細には、雄コネクタ２のフード部２１に形成される係合部２３は、ハウジング１０の導入溝１３を通過して、スライダー５の仮係止位置５６まで移動する。ここで、溝部５２の底面には、ハウジング１０の内側の方向に突出する突起である仮係止部５３が形成されており、雄コネクタ２側の係合部２３が仮係止部５３に引っ掛かることで、雄コネクタ２の仮係止が実現される。即ち、仮係止部５３は、作業者が予期しない雄コネクタ２の抜けや外れを抑えるものとなる。
【００３０】
図５に示す例では、レバー３は、ロック姿勢にされている。この状態において、スライダー５は、雌コネクタ１の右側であるロック位置に配置される。即ち、スライダー５は、レバー３の動きに伴ってリリース位置とロック位置との間で左右方向にスライドする。このように、レバー３がロック姿勢にされ、スライダー５がリリース位置からロック位置にスライドすることにより、雄コネクタ２が雌コネクタ１に接続する方向にフード部２１を押す力が作用する。より具体的には、仮係止位置５６に挿入された係合部２３は溝部５２に沿って動き、仮係止位置５６の前側且つ左側に位置する本係止位置５７に移動する。このように、スライダー５がフード部２１をハウジング１０の前側に押すことで、雌雄両コネクタ１，２の嵌合が実現される。
【００３１】
また、レバー３がロック姿勢からリリース姿勢にされ、スライダー５がリリース位置にスライドすることにより、雌雄両コネクタ１，２同士の嵌合が解除する方向にフード部２１を押す力が作用する。より具体的には、本係止位置５７に配置された係合部２３がその後側に位置する仮係止位置５６に導かれることで、フード部２１はハウジング１０の後側に押され、互いに仮係止された位置にある雌雄両コネクタ１，２をさらに離すことで、雌雄両コネクタ１，２の嵌合が解除される。
【００３２】
このように、作業者は、レバー３を用いてスライダー５を左右方向に動かすことにより、係合部２３及び雄コネクタ２を前後に押すことが可能である。また、レバー３には、支軸部３３を支点とした梃子の原理による倍力機能が作用するため、作業者は、雌コネクタ１に雄コネクタ２を直接押し込む場合と比べて、より弱い力で各コネクタ同士を嵌合させることが可能である。
【００３３】
さらに、雌雄両コネクタ１，２同士を嵌合させるためにスライダー５が移動する左右の距離は、フード部２１の前後の移動距離よりも長いものとなる。このように、作業者が動かす距離を、実際にフード部２１が動く距離よりも長くすることで、移動距離の違いによる倍力機能が作用する。即ち、スライダー５を用いることで、作業者は、より弱い力で各コネクタ同士を嵌合させることが可能である。
【００３４】
なお、図４に示す例において、複数の溝部５２うちの何れかには、第１の穴５４が形成されており、その第１の穴５４から略四角錐状の突起を先端に有するボタン部１５が突出している。図４の例のように、フード部２１が挿入されておらず、ボタン部１５が第１の穴４５の縁に引っ掛かっている場合、スライダー５がスライドすることと、レバー３が回動することが制限される。一方、フード部２１が挿入され、係合部２３が仮係止位置５６に配置されると、ボタン部１５は、係合部２３により押し込まれ、第１の穴５４の縁に引っ掛からない位置に移動する。つまり、雄コネクタ２が仮係止される位置に挿入された場合に、スライダー５及びレバー３に対する制限が解除される。また、図５に示すようにスライダー５がロック位置に配置される場合、ボタン部１５は、第１の穴５４の前側に形成される第２の穴５５の内側に嵌る。
【００３５】
また、図４乃至図６に示すように、スライダー５に形成される押圧部５１は、スライダー５の左右方向における両端部の間に位置している。また、スライダー５には、左右方向において互いに間隔を空けて複数の押圧部５１が配置されている。複数の押圧部５１の各々は、前後方向において、互いに同じ位置に配置されている。本実施形態では、各押圧部５１は、前後方向において本係止位置５７と略同じ位置に配置されている。換言すると、各押圧部５１は、２つの本係止位置５７同士を結ぶ線分上の中間地点、又は、その近傍に配置されている。スライダー５の左右方向へのスライドにより雄コネクタ２が雌コネクタ１と接続する方向に移動するのに伴い、押圧部５１は、フード部２１の外面を押圧する。
【００３６】
また、図６に示すように、各押圧部５１は、後端から、前側（即ち、Ｘ１側）且つ下側（即ち、Ｚ１側）の斜めに伸びている傾斜面５１ａと、前端から後側（即ち、Ｘ２方向）且つ下側の斜めに伸びている傾斜面５１ｂとを有している。フード部２１は、その外面が各押圧部５１に接した状態で前後に移動するが、各押圧部５１がこのよう傾斜面を有することで、フード部２１が前後に移動する際に生じる摩擦力を低減させ、フード部２１を挿入し易くし、また、フード部２１を外し易くすることが可能である。特に傾斜面５１ａは、上下の側板２１ａ，２１ｂの各々に形成される前端辺２１ｅ，２１ｆが押圧部５１を乗り越えようとするとき、その抵抗を低減することができる。
【００３７】
また、各押圧部５１は、左端から右側（即ち、Ｙ１側）且つ下側の斜めに伸びる傾斜面５１ｃと、右端から左側（即ち、Ｙ２側）且つ下側の斜めに伸びる傾斜面５１ｄを有している。各押圧部５１がこのような傾斜面を有することで、スライダー５が左右方向にスライドする際に生じる各押圧部５１との摩擦力を低減させることが可能である。
【００３８】
また、図７に示すように、スライダー５の裏面５ｂには、凹部５９が形成されている。雌コネクタ１に取り付けられるレバー３は、フード部２１からスライダー５に向かう方向（即ち、上下方向）に沿って伸びる延伸部３４（図１及び図８を参照）を有しており、スライダー５の凹部５９は、延伸部３４の先端と係合する。レバー３が回動することで、延伸部３４により凹部５９の縁が押し出されて、スライダー５は左右にスライドする。
【００３９】
図８の断面図に示すように、雌雄両コネクタ１，２が接続している場合、雌コネクタ１側の複数の端子（図示せず）を保持する保持部４は、その収容保持部４ａがフード部２１の内側に配置される。また、このように雌雄両コネクタ１，２が接続されている場合、シール４１は、保持部４の外面とフード部２１の内面とによって挟まれている。このように、シール４１が、保持部４とフード部２１との隙間を塞ぐことで、雌雄両コネクタ１，２間の防水が実現されている。
【００４０】
また、このようにフード部２１の内側に保持部４が配置されている場合、スライダー５は、フード部２１の外面に沿って配置される。また、先述のように、スライダー５には、フード部２１を保持部４に向けて押すための押圧部５１が形成されている。フード部２１の内側に保持部４が配置されている場合、押圧部５１は、シール４１が配置される位置よりも、フード部２１において開口している先端側に近い位置（即ち、シール４１の前側）に配置される。
【００４１】
このような位置に押圧部５１を配置すると、雄コネクタ２の係合部２３が仮係止位置５６にあるときフード２１は押圧部５１に届いておらず、押圧部５１がフード２１に押されることがないようにできる。そのため、仮係止までの雌雄両コネクタ１，２の着脱を少ない抵抗で行うことができる。
【００４２】
その後、スライダー５を左右方向に移動させるとフード２１が嵌合状態になるよう移動し、フード２１の前端辺２１e，２１ｆが押圧部５１を乗り越えようとする。この際、押圧部５１は傾斜面５１ａを有しているため、前端辺２１e，２１ｆは押圧部５１を容易に乗り越えることができる。
【００４３】
フード部２１の内面は、シール４１と当接しているため、フード部２１には、外側に膨らもうとする力が加えられる。ここで、仮にフード部２１が外側に膨らんでしまうと、シール４１との密着性が低下し、雌雄両コネクタ１，２間の防水性能が低下してしまう。しかしながら、雌コネクタ１に配置されるスライダー５には、押圧部５１が形成されており、この押圧部５１がフード部２１を外側から押すことで、フード部２１の膨らみを抑え、雌雄両コネクタ１，２間の防水性能を確保している。
【００４４】
また、スライダー５は、凹部５９において、レバー３の支柱部３２に形成される延伸部３４と係合している。雌雄両コネクタ１，２が接続される場合、スライダー５には、押圧部５１を介して、フード部２１から離れる方向に力が加えられる。ここで、レバー３に形成される延伸部３４の先端に形成される端面３４ａは、フード部２１からスライダー５に向かう上下方向（図８においては左右方向）において、スライダー５に形成される凹部５９の底面と当接する。このようにすることで、スライダー５がフード部２１から離れるように動くことを防ぎ、雌コネクタ１自体の膨らみを抑えることが可能である。
【００４５】
また、スライダー５は、ハウジング１０から取り外せるようにしてもよい。このようにすることで、必要に応じて、他のスライダー（例えば、前後方向の高さが異なるものや、押圧部５１の位置が異なるもの、押圧部５１が存在しないもの等）に交換することが可能である。また、スライダー５の上下方向の厚みを大きくすることで、スライダー５自体の変形を抑えることが可能である。
【００４６】
また、作業者が雌雄両コネクタ１，２を嵌合させる際、フード部２１には、シール４１及び押圧部５１と接するため、摩擦による抵抗が生じる。しかし、レバー３及びスライダー５には、各々の構造に起因した倍力機能が作用するため、作業者は、容易に雌雄両コネクタ１，２を嵌合させることが可能である。
【００４７】
なお、本発明は以上説明した実施形態に限られず、種々の変更がなされてよい。例えば、実施形態においては、スライダー５に形成される押圧部５１が、スライダー５の表面に形成される場合について説明したが、スライダー５は、上記押圧部５１として、上下方向における厚みがより大きい部分を有していてもよい。
【００４８】
他にも例えば、実施形態においては、雄コネクタ２が雌コネクタ１に接続する方向にフード部２１を誘導するための構造として、スライダー５に溝部５２される場合について説明したが、これに限らず、フード部２１側に溝が形成されてもよい、この場合、スライダー５には、フード部２１側の溝と係合する突起が形成されてもよい。
【００４９】
他にも例えば、実施形態においては、雌コネクタ１のレバー３がスライダー５を左右にスライドさせる場合について説明したが、雌コネクタ１はレバー３を有さなくてもよい。フード部２１がハウジング１０に挿入されることでスライダー５は左右にスライドし、また、先述のように、スライダー５には、フード部２１とスライダー５との移動距離の違いに倍力機能が作用するため、レバー３を用いなくても、作業者は従来よりも弱い力で各コネクタ同士を嵌合させることが可能である。
【００５０】
また、実施形態においては、押圧部５１を４つの斜面で構成された凸形状で説明したが、スライダー５の摺動抵抗が低減される形状、あるいはフード部２１の前端辺２１ｅ，２１ｆが乗り越えることが容易な形状であればこれに限らない。押圧部５１は、例えば、低い球面状の突起でもよい。
【００５１】
なお、本明細書の開示は本発明の一例にすぎず、本発明の主旨を保った適宜変更であって当業者が容易に想到し得るものは本発明の範囲に含まれる。図面で示す各部の幅、厚さ及び形状等は模式的に表されており、本発明の解釈を限定するものではない。
【符号の説明】
【００５２】
１  雌コネクタ、１０  ハウジング、１１  カバー、１２  軸穴、１３  導入溝、１５  ボタン部、２  雄コネクタ、２０  ハウジング、２１  フード部、２１ａ，２１ｂ，２１ｃ，２１ｄ  側板、２１ｅ，２１ｆ  前端辺、２２  端子、２３  係合部、３  レバー、３１  グリップ、３２  支柱部、３３  支軸部、３４  延伸部、４  保持部、４ａ  収容保持部、４ｂ  固定保持部、４１  シール、５  スライダー、５１  押圧部、５１ａ，５１ｂ，５１ｃ，５１ｄ  傾斜面、５２  溝部、５３  仮係止部、５４  第１の穴、５５  第２の穴、５６  仮係止位置、５７  本係止位置、５９  凹部、１００  コネクタ組立体。
【図１】
0006438360.tif 000002
【図２】
0006438360.tif 000003
【図３】
0006438360.tif 000004
【図４】
0006438360.tif 000005
【図５】
0006438360.tif 000006
【図６】
0006438360.tif 000007
【図７】
0006438360.tif 000008
【図８】
0006438360.tif 000009